(57)【特許請求の範囲】
【請求項１】
扉によって開閉される筐体の内部に設置され、遊技媒体を払い出す払出手段、及び、前記扉に設けられ、払い出された前記遊技媒体を機外と通じる払出口まで落下移動させる移動経路を形成する遊技媒体用シュートを有する遊技機において、
前記払出手段の排出口及び前記遊技媒体用シュートの入口に、前記移動経路と前記筐体の内部とを遮るように、前記払出手段の排出口の周縁に形成された環状の排出口用凸状部、及び、前記遊技媒体用シュートの入口の周縁に形成された環状の入口用凸状部を有し、前記扉が閉められると、前記入口用凸状部が前記排出口用凸状部に嵌入されることを特徴とする遊技機。
【請求項２】
扉によって開閉される筐体の内部に設置され、遊技媒体を払い出す払出手段、及び、前記扉に設けられ、払い出された前記遊技媒体を機外と通じる払出口まで落下移動させる移動経路を形成する遊技媒体用シュートを有する遊技機において、
前記払出手段の排出口及び前記遊技媒体用シュートの入口に、前記移動経路と前記筐体の内部とを遮るように、前記払出手段の排出口の周縁に形成された環状の排出口用凸状部、及び、前記遊技媒体用シュートの入口の周縁に形成された環状の入口用凸状部を有し、前記扉が閉められると、前記排出口用凸状部が前記入口用凸状部に嵌入されることを特徴とする遊技機。
【請求項３】
前記排出口用凸状部及び入口用凸状部が、矩形環状であり、かつ、水平方向に対して所定の角度で傾いていることを特徴とする請求項１又は２に記載の遊技機。
【請求項４】
前記払出手段が、遊技媒体としてのメダルを払い出す、回転ディスクを有するメダル払出装置であり、前記回転ディスクが、水平方向に対して前記所定の角度に対応して傾いていることを特徴とする請求項３に記載の遊技機。
【請求項５】
前記払出手段を移動可能に案内するガイドレールを備え、前記入口用凸状部と前記排出口用凸状部との間に、前記ガイドレールに対する前記払出手段の遊びを吸収可能なクリアランスを設けたことを特徴とする請求項１〜４のいずれか一項に記載の遊技機。
【発明の詳細な説明】
【技術分野】
【０００１】
本発明は、遊技機に関し、特に、遊技媒体を払い出す払出手段の排出口及び遊技媒体用シュートの入口に、ラビリンス手段を設けた遊技機に関する。
【背景技術】
【０００２】
遊技場には、パチンコ機やスロットマシンなどの遊技機が設置されている。
遊技機から払出された遊技媒体は、現金などの有価価値を有する景品と交換することができるため、遊技機に不正を働いて、遊技機から遊技媒体を窃取する不正行為が後を絶たない。
近年、スロットマシンなどの遊技機に対して行われる不正行為が問題となっており、特に、メダルが払い出される移動経路などを介した不正行為が深刻化している。
【０００３】
（従来のスロットマシン）
次に、従来のスロットマシンの移動経路などについて、図面を参照して説明する。
図８は、従来のスロットマシンの前扉を開いた状態の概略外観斜視図を示している。
図８において、従来のスロットマシン１０１は、前面に開口した箱状の筐体１１、及び、筐体１１の前面開口を開閉自在に覆う前扉１２を備えている。このスロットマシン１０１は、筐体１１の内部に、制御部１６、ドラムユニット１７及びメダル払出装置１０２などが設けられ、また、前扉１２の裏面に、メダルセレクタ１５、メダル投入ガイド１５１及びメダル返却シュート１０３などが設けられている。
【０００４】
なお、スロットマシン１０１は、ドラムユニット１７の複数のリールを回転させることによって遊技媒体であるメダルを獲得することができる回胴式遊技機を構成している。また、遊技を実施するための構成などについては、後述する特許文献１のスロットマシンとほぼ同様としてある。
【０００５】
メダル払出装置１０２は、メダル払出装置本体１２０及びホッパー１２１などを有しており、ホッパー１２１には、遊技媒体としてのメダル（図示せず）が貯留されている。また、メダル払出装置本体１２０は、ホッパー１２１内のメダルを一枚ずつ排出口１２３から排出する回転ディスク（図示せず）、及び、この回転ディスクを回転させる駆動手段（図示せず）などを備えている。さらに、メダル払出装置１０２は、図９に示すように、排出口１２３の下方かつ正面方向に傾斜する斜面１２５、及び、この斜面１２５の左右両側をガイドする側方ガイド１２６を有する滑り台部１２４が突設されている。また、前扉１２が閉められた状態において、滑り台部１２４の先端側の部分は、メダル返却シュート１０３の入口１３３（すなわち、入口用凸状部１３４）に入り込んでいるので、メダルは、確実に移動経路１３１に落下する。
このメダル払出装置１０２は、スロットマシン遊技において入賞すると、入賞内容に応じた所定枚数のメダルを、排出口１２３から排出する。
【０００６】
メダル返却シュート１０３は、入口１３３や出口（図示せず）などの形成された樋状あるいは管状の部材であり、メダル払出装置１０２から払い出されたメダルをメダル払出口（図示せず。なお、上記メダル返却シュート１０３の出口は、このメダル払出口に連通している。）まで落下移動させる移動経路１３１を有している。また、入口１３３の周縁部に、矩形環状の入口用凸状部１３４が形成されている。
【０００７】
なお、メダル返却シュート１０３は、過投入となる場合、メダルセレクタ１５によって振り分けられた返却メダルをメダル払出口まで落下移動させる過投入防止用移動経路（図示せず）を有している。また、過投入とならない場合、メダル投入口に投入されたメダルは、メダルセレクタ１５及びメダル投入ガイド１５１を経由して、メダル払出装置１０２のホッパー１２１に貯留される。
【０００８】
このように、スロットマシン１０１の内部では、メダル返却シュート１０３によって、メダル払出口からメダルセレクタ１５及びメダル払出装置１０２まで連通するメダル移動経路（すなわち、過投入防止用移動経路及び移動経路１３１）が形成されている。したがって、メダル払出口から不正な器具や道具（適宜、不正具と略称する。）を挿入することにより、メダル返却シュート１０３を介してメダル払出装置１０２などへのアクセスが可能であり、不正にメダルを払い出させたり、メダル投入なしにゲームを行わせるといった不正行為が行われることがある。
【０００９】
このため、上記の不正行為を防止するための様々な技術や、本発明に関連する様々な技術が提案されている。
たとえば、特許文献１には、メダル返却シュートが、メダルセレクタからメダル払出口までの間に、メダル経路のメダル移動方向を変化させるクランク部を少なくとも二以上備える構成としたスロットマシンの技術が開示されている。
【００１０】
また、特許文献２には、コインホッパーとコイン排出台の接合境界面で両者の外方から両者に係合する排出ガイドを設け、該排出ガイドを介してコインホッパーとコイン排出台を連結するコイン払出し装置の技術が開示されている。
【先行技術文献】
【特許文献】
【００１１】
【特許文献１】特開２００８−２３７６３７号公報
【特許文献２】特開２００４−１４１３８１号公報
【発明の概要】
【発明が解決しようとする課題】
【００１２】
しかしながら、上述した従来のスロットマシン１０１は、図９に示すように、前扉１２の閉められた状態において、移動経路１３１と筐体１１の内部（ここでは、筐体１１の内部であって、メダル返却シュート１０３及びメダル払出装置１０２の外側の空間）とを連通する連通経路に対して、ポイントＣ１やポイントＣ１´において、不正侵入方向を一回方向転換させることにより、不正具（不正行為者が操作する針金などの不正な器具や道具）が侵入することができた。
すなわち、前扉１２の正面下部中央に設けられたメダル払出口から不正具が挿入され、筐体１１内の装置（電源装置１８や主基板（図示せず）など）に不正にアクセスできないようにしたり、メダル払出口以外（たとえば、前扉１２と筐体１１との隙間など）から不正具が挿入され、メダル払出装置１０２の排出口１２３（ホッパー出口とも呼ばれる。）に不正なアクセスができないようにする不正行為防止手段を施す必要があった。
【００１３】
また、スロットマシン１０１は、営業時間中に、前扉１２が開けられ、補給用ジョッキを用いてメダルが補給され、再び、前扉１２が閉められる。この際、従業員は、迅速かつ手際よく補給作業を行う必要があり、特に、前扉１２を、スムーズにかつ確実に閉める必要がある。すなわち、上記の不正行為防止手段を設けた場合であっても、前扉１２を、スムーズにかつ確実に閉める必要がある。
【００１４】
なお、特許文献１に記載された技術は、メダルセレクタからメダル払出口までの間の経路（過投入防止用移動経路とも呼ばれる。）に対して有効であるものの、遊技媒体を払い出す払出手段の排出口及び遊技媒体用シュートの入口に対しては、さらに、不正行為防止手段を施す必要があった。
また、特許文献２に記載された技術は、矩形環状の凸状部の形成された排出ガイドを備えているものの、上記の課題を解決するは不可能な技術であった。
【００１５】
本発明は、以上のような問題を解決するために提案されたものであり、遊技媒体の払出口から筐体内の装置への不正アクセスや、遊技媒体の払出口以外から遊技媒体を払い出す払出手段の排出口への不正アクセスを防止することのできる遊技機の提供を目的とする。
【課題を解決するための手段】
【００１６】
上記目的を達成するため、本発明の遊技機は、扉によって開閉される筐体の内部に設置され、遊技媒体を払い出す払出手段、及び、前記扉に設けられ、払い出された前記遊技媒体を機外と通じる払出口まで落下移動させる移動経路を形成する遊技媒体用シュートを有する遊技機において、前記払出手段の排出口及び前記遊技媒体用シュートの入口に、前記移動経路と前記筐体の内部とを遮るように、前記払出手段の排出口の周縁に形成された環状の排出口用凸状部、及び、前記遊技媒体用シュートの入口の周縁に形成された環状の入口用凸状部を有し、前記扉が閉められると、前記入口用凸状部が前記排出口用凸状部に嵌入される構成としてある。また、本発明の遊技機は、前記入口用凸状部が前記排出口用凸状部に嵌入される代わりに、前記扉が閉められると、前記排出口用凸状部が前記入口用凸状部に嵌入される構成としてもよい。
【発明の効果】
【００１７】
本発明の遊技機によれば、遊技媒体の払出口（たとえば、スロットマシンにおいては、メダル払出口）から筐体内の装置への不正アクセスや、遊技媒体の払出口以外から遊技媒体を払い出す払出手段（たとえば、スロットマシンにおいては、メダル払出装置）の排出口への不正アクセスを防止することができる。
【図面の簡単な説明】
【００１８】
【図１】本発明の一実施形態にかかるスロットマシンの概略正面図を示している。
【図２】本発明の一実施形態にかかるスロットマシンの前扉を開いた状態の概略斜視図を示している。
【図３】本発明の一実施形態にかかるスロットマシンの、メダル払出装置の概略拡大正面図を示している。
【図４】本発明の一実施形態にかかるスロットマシンの、メダル返却シュートの概略拡大正面図を示している。
【図５】本発明の一実施形態にかかるスロットマシンの、前扉を閉じた状態における側面方向からの概略拡大断面図を示している。
【図６】図５のＡ−Ａ断面図を示している。
【図７】図６のＢ−Ｂ断面図を示している。
【図８】従来のスロットマシンの前扉を開いた状態の概略外観斜視図を示している。
【図９】従来のスロットマシンの、前扉を閉じた状態における側面方向からの要部の概略拡大断面図を示している。
【発明を実施するための形態】
【００１９】
以下、本発明に係る遊技機の好ましい実施形態について、各図を参照して説明する。
遊技機には、パチンコ機、スロットマシン、アレンジボール、雀球など様々な機類があるが、本実施形態では、メダルを遊技媒体とするスロットマシンに本発明を適用した場合について、図面を参照しつつ説明する。
【００２０】
[スロットマシン]
図１は、本発明の一実施形態にかかるスロットマシンの概略正面図を示している。
また、図２は、本発明の一実施形態にかかるスロットマシンの前扉を開いた状態の概略斜視図を示している。
図１、２において、本実施形態のスロットマシン１は、前扉１２によって開閉される筐体１１の内部に設置され、メダルを払い出すメダル払出装置２、及び、前扉１２に設けられ、払い出されたメダルをメダル払出口１３まで落下移動させる移動経路３１を形成するメダル返却シュート３を有している。
【００２１】
すなわち、スロットマシン１は、上述したスロットマシン１０１と比べると、メダル払出装置１０２の代わりにメダル払出装置２を有し、メダル返却シュート１０３の代わりにメダル返却シュート３を有する点などが相違する。
また、スロットマシン１は、メダル払出装置２の排出口２３及びメダル返却シュート３の入口３３に、移動経路３１と筐体１１の内部とを遮るように所定のラビリンス手段（本実施形態では、排出口用凸状部２４及び入口用凸状部３４）を設けてある。
なお、本実施形態の他の構成は、上述したスロットマシン１０１とほぼ同様としてある。
【００２２】
前扉１２は、図１に示すように、正面中段の右側に、メダル投入口１４が設けられ、また、正面下部の中央に、メダル払出口１３が形成されている。
また、スロットマシン１は、制御部１６が筐体１１の上部奥側に取り付けられている。この制御部１６は、スロットマシン１を制御するための主基板（図示せず）などを有している。さらに、メダル払出装置２の左側には、電源装置１８が設置されている。また、スロットマシン１は、メダル払出装置２を前後方向に移動可能に案内する一対のガイドレール２５を備えている。
【００２３】
（メダル払出装置）
図３は、本発明の一実施形態にかかるスロットマシンの、メダル払出装置の概略拡大正面図を示している。
図３において、メダル払出装置２は、メダル払出装置本体２０及びホッパー２１などを有している。
ホッパー２１は、上述したホッパー１２１とほぼ同様にメダルを貯留する容器であり、メダル払出装置本体２０に着脱可能に取り付けられている。このホッパー２１は、正面側下部に、メダルを排出するための細長い矩形状の排出口２３が形成され、さらに、この排出口２３の周縁部に、矩形環状の排出口用凸状部２４が形成されている。
また、本実施形態では、排出口用凸状部２４及び入口用凸状部３４が、スロットマシン１の正面方向から見て、水平方向に対して所定の角度（α°）で傾いている。さらに、メダル払出装置２は、上述したように、一対のガイドレール２５によって、移動可能に案内されており、左右方向にそれぞれ距離Ｈの遊びが発生している。傾けた効果や距離Ｈとの関係などについては、後述する。
【００２４】
また、メダル払出装置本体２０は、ホッパー２１内のメダルを一枚ずつ排出口２３１から排出する回転ディスク２２、及び、この回転ディスク２２を回転させる駆動手段（図示せず）などを備えている。このメダル払出装置本体２０は、正面側上部に、メダルが微小距離の隙間を有する状態で通過することができるように、細長い矩形状の排出口２３１が形成されている。この排出口２３１は、上記の排出口２３に連通する構造としてあり、排出口２３の外形が排出口２３１の外形より大きいので、メダルは、スムーズかつ確実に、排出口２３を通過することができる（図７参照）。
【００２５】
また、本実施形態では、回転ディスク２２は、水平方向に対して上述した所定の角度（α°）に対応して傾いている。すなわち、回転ディスク２２の回転中心軸は、スロットマシン１の正面方向から見て、水平方向に対して、９０°−α°だけ傾いている。これにより、メダルを所定の角度（α°）だけ傾けた状態で排出することができるので、排出口２３１及び排出口２３を所定の角度（α°）だけ傾けて形成することができる。したがって、たとえば、排出口用凸状部２４を、排出口２３に対して均等な間隔でオフセットするように、排出口２３の周縁に形成できるので、排出口２３から排出口用凸状部２４までの距離をほぼ同じにすることがでる。これにより、不要なスペースが形成されないので、不正具の侵入がより困難な構造とすることができ、また、小型化を図ることができる。
【００２６】
なお、本実施形態では、ホッパー２１に、排出口用凸状部２４を形成した構成としてあるが、これに限定されるものではない。たとえば、メダル払出装置本体２０に排出口用凸状部２４を形成してもよい。あるいは、ホッパー２１及びメダル払出装置本体２０に二つ割れ構造（たとえば、排出口用凸状部２４がホッパー２１及びメダル払出装置本体２０の境界に沿って二つに分割され、ホッパー２１及びメダル払出装置本体２０に、分割された各部分が形成された構造）を有する排出口用凸状部２４を形成してもよい。
【００２７】
（メダル返却シュート）
図４は、本発明の一実施形態にかかるスロットマシンの、メダル返却シュートの概略拡大正面図を示している。
図４において、メダル返却シュート３は、移動経路３１、過投入防止用移動経路３２、入口３３、入口用凸状部３４、過投入防止用入口３２１及び出口３５などの形成された樋状あるいは管状の部材である。
なお、図４に示すメダル返却シュート３は、前扉１２に取り付けられた状態においては、スロットマシン１の背面方向から見たものである。
【００２８】
出口３５は、移動経路３１を介して、出口３５の右側上方に形成された入口３３と連通しており、また、過投入防止用移動経路３２を介して、出口３５の左側上方に形成された過投入防止用入口３２１と連通している。これにより、メダル払出装置２から払い出されたメダルは、入口３３及び移動経路３１を経由して、出口３５まで落下移動し、メダル払出口１３から排出される。また、メダルセレクタ１５からの返却メダルは、過投入防止用入口３２１及び過投入防止用移動経路３２を経由して、出口３５まで落下移動し、メダル払出口１３から排出される。
【００２９】
上記入口３３は、排出口２３の形状に対応した細長い矩形状としてあり、この入口３３の周縁部に、矩形環状の入口用凸状部３４が形成されている。また、入口用凸状部３４は、排出口用凸状部２４に挿入されるように、排出口用凸状部２４より小さい形状としてあり、かつ、排出口用凸状部２４と同様に、スロットマシン１の正面方向から見て、水平方向に対して所定の角度（α°）で傾いている。
【００３０】
すなわち、本実施形態では、ラビリンス手段として、メダル払出装置２の排出口２３の周縁に形成された環状の排出口用凸状部２４、及び、メダル返却シュート３の入口３３の周縁に形成された環状の入口用凸状部３４を有し、前扉１２が閉められると、入口用凸状部３４が排出口用凸状部２４に（所定の距離を有する状態で）嵌入される。このようにすると、図示してないが、入口用凸状部３４の大きさ（あるいは、入口用凸状部３４の先端部や内側形状の大きさ）を、メダルの通過に支障のない範囲で、さらに小さくすることもできる。すなわち、排出口用凸状部２４が入口用凸状部３４に嵌入される場合より、不正具の操作領域を狭めることができ、不正具の侵入を防止する性能が向上する。また、構造を単純化することができ、製造原価のコストダウンを図ることができる。
なお、排出口用凸状部２４及び入口用凸状部３４の数は、通常、各一つであるが、これに限定されるものではない。たとえば、図示してないが、少なくとも一方を二つ以上設けてもよい。すなわち、各凸状部を環状に幾重にも重ねたラビリンス手段とすることもできる。
また、排出口用凸状部２４及び入口用凸状部３４の突出量は、通常、数ｍｍから十数ｍｍである。
【００３１】
次に、上記構成のスロットマシン１の効果などについて、図面を参照して説明する。なお、スロットマシン１の遊技動作などは、上述したように、特許文献１に記載されたスロットマシンとほぼ同様であり、その詳細な説明を省略する。
図５は、本発明の一実施形態にかかるスロットマシンの、前扉を閉じた状態における側面方向からの概略拡大断面図を示している。
図５において、スロットマシン１は、前扉１２が閉められた状態であり、メダル返却シュート３の入口用凸状部３４が、メダル払出装置２の排出口用凸状部２４に入り込んでいる。
【００３２】
次に、排出口用凸状部２４及び入口用凸状部３４が、水平方向に対して所定の角度（α°）で傾いている効果などについて、図面を参照して説明する。
図６は、図５のＡ−Ａ断面図を示している。
本実施形態では、図６に示すように、排出口用凸状部２４及び入口用凸状部３４は、スロットマシン１の正面方向から見て、水平方向に対して所定の角度（α°）で傾いている。
【００３３】
まず、上記の効果を理解しやすいように、排出口用凸状部２４及び入口用凸状部３４を水平方向に形成した場合について説明する。
図示してないが、排出口用凸状部２４及び入口用凸状部３４を水平方向に形成した場合（すなわち、α°＝０°とした場合）、ポイントＰ１、Ｐ３における排出口用凸状部２４と入口用凸状部３４との距離は、Δ１であり、また、ポイントＰ２、Ｐ４における排出口用凸状部２４と入口用凸状部３４との距離は、Δ２である。
また、前扉１２を開閉するための、ポイントＰ１、Ｐ２、Ｐ３、Ｐ４における排出口用凸状部２４と入口用凸状部３４とのクリアランスは、水平方向のクリアランスがΔ２であり、また、垂直方向のクリアランスがΔ１である。
【００３４】
上記のΔ１及びΔ２を小さくするほど、不正行為を行うための不正具の侵入を防止する性能を向上させることができる。ただし、スロットマシン１は、前扉１２が、ヒンジを介して筐体１１に回動可能に取り付けられており、上記ヒンジの取り付け誤差、また、ガイドレール２５の取り付け誤差などに加え、上述したように、メダル払出装置２が、ガイドレール２５に対して、動きうる余裕の空間として片側距離Ｈの遊びを有している。すなわち、上記の状況を考慮すると、Δ１及びΔ２を、たとえば、０．数ｍｍとすることは、現実的に不可能である。したがって、Δ１及びΔ２を、たとえば、数ｍｍに設定することにより、上記不正具の侵入を防止することができる。ただし、Δ１及びΔ２をできるだけ小さくして、不正行為を行うための不正具の侵入を防止する性能を向上させることが要望される。
【００３５】
上記要望に応えるために、本実施形態では、排出口用凸状部２４及び入口用凸状部３４は、スロットマシン１の正面方向から見て、水平方向に対して所定の角度（α°）で傾いている。
このようにすると、前扉１２を開閉するための、ポイントＰ１、Ｐ３における排出口用凸状部２４と入口用凸状部３４とのクリアランスは、水平方向のクリアランスがΔ１／ｓｉｎα°となり、また、垂直方向のクリアランスがΔ１／ｃｏｓα°となる。
また、前扉１２を開閉するための、ポイントＰ２、Ｐ４における排出口用凸状部２４と入口用凸状部３４とのクリアランスは、水平方向のクリアランスがΔ２／ｃｏｓα°となり、また、垂直方向のクリアランスがΔ２／ｓｉｎα°となる。
【００３６】
すなわち、ポイントＰ１、Ｐ３における排出口用凸状部２４と入口用凸状部３４との水平方向のクリアランス（＝Δ１／ｓｉｎα°）は、仮に、ヒンジの取り付け誤差やガイドレール２５の取り付け誤差などが発生しないと仮定しても、距離Ｈより大きく設定され、ガイドレール２５による遊びを吸収する。また、ポイントＰ２、Ｐ４における排出口用凸状部２４と入口用凸状部３４との水平方向のクリアランス（＝Δ２／ｃｏｓα°）も同様に、仮に、ヒンジの取り付け誤差やガイドレール２５の取り付け誤差などが発生しないと仮定しても、距離Ｈより大きく設定され、ガイドレール２５による遊びを吸収する。
【００３７】
ここで、好ましくは、所定の角度（α°）が、４５°±所定の許容角度（β°）であるとよい。
たとえば、α°＝４５°とした場合、前扉１２を開閉するための、ポイントＰ１、Ｐ３における排出口用凸状部２４と入口用凸状部３４とのクリアランスは、水平方向のクリアランスが約１．４１×Δ１（＝Δ１／ｓｉｎ４５°）となり、また、垂直方向のクリアランスが約１．４１×Δ１（＝Δ１／ｃｏｓ４５°）となる。同様に、前扉１２を開閉するための、ポイントＰ２、Ｐ４における排出口用凸状部２４と入口用凸状部３４とのクリアランスは、水平方向のクリアランスが約１．４１×Δ２（＝Δ２／ｃｏｓ４５°）となり、また、垂直方向のクリアランスが約１．４１×Δ２（＝Δ２／ｓｉｎ４５°）となる。このように、水平方向や垂直方向に対するクリアランス（前扉１２を開閉する際の遊び幅とも呼べる。）を拡張することができる。
【００３８】
すなわち、前扉１２などの構造によって、前扉１２をスムーズにかつ確実に閉めるための水平方向及び垂直方向のクリアランスが設定されるが、この際、本実施形態のスロットマシン１は、上記のα°＝０°とした場合より、水平方向や垂直方向の遊び幅（通常、水平方向の遊び幅が重要とされる。）を確保しつつ、排出口用凸状部２４と入口用凸状部３４との距離を小さく設定することができ、その分、不正行為を行うための不正具の侵入を防止する性能を向上させることができる。
【００３９】
また、所定の角度（α°）は、４５°に限定されるものではなく、４５°±所定の許容角度（β°）である。この所定の許容角度（β°）は、通常、１５°である。このようにしても、本実施形態の上記効果をほぼ得ることができる。
なお、前扉１２などの構造によっては、通常、垂直方向のクリアランスより水平方向のクリアランスを大きくする必要がある。したがって、Δ１及びΔ２は、前扉１２などの構造に応じて設定される。
また、前扉１２の回動中心線（図示せず）は、図２に示すように、微小角度（通常、数°）だけ後方に傾いているが、ここでは、水平面に対して垂直であるとしても、特に支障はないものとする。
【００４０】
次に、ラビリンス手段としての排出口用凸状部２４及び入口用凸状部３４の効果などについて、図面を参照して説明する。
図７は、図６のＢ−Ｂ断面図を示している。
図７において、入口用凸状部３４は、所定の距離（長手方向には、距離Δ１であり、短手方向には、距離Δ２である。）を有する状態で、排出口用凸状部２４に嵌入されている。
なお、通常、入口用凸状部３４の先端面は、ホッパー２１の表面に当接しない構成としてあり、このようにすると、当接による破損などを防止することができる。
【００４１】
本実施形態のラビリンス手段によれば、移動経路３１から筐体１１の内部に、不正行為を行うための不正具を侵入させる場合、二点鎖線の不正侵入方向で示すように、ポイントＣ１及びポイントＣ２において、不正侵入方向を二回方向転換する必要があり、不正具の侵入を防止することができる。すなわち、メダル払出口１３から不正具を挿入し、筐体１１内の装置（電源装置１８、主基板など）に不正にアクセスするといった不正行為を効果的に防止することができる。
【００４２】
また、メダル払出口１３以外（たとえば、前扉１２と筐体１１との隙間など）から不正具を挿入し、メダル払出装置２の排出口２３（あるいは、排出口２３１）に不正にアクセスするといった場合も、上記とほぼ同様に、ポイントＣ１及びポイントＣ２において、不正侵入方向を二回方向転換する必要があり、不正行為を効果的に防止することができる。
なお、“移動経路と筐体の内部とを遮るように”とは、移動経路３１と筐体１１の内部とを連通させる連通経路において、不正侵入方向を二回以上方向転換する状態となるようにといった意味である。
【００４３】
以上説明したように、本実施形態のスロットマシン１によれば、不正行為を行うための不正具の侵入を防止する性能を向上させた状態で、メダル払出口１３から筐体１１内の装置への不正アクセスや、メダル払出口１３以外からメダル払出装置２の排出口２３への不正アクセスを防止することができ、さらに、前扉１２を、スムーズにかつ確実に閉めることができる。
【００４４】
なお、本実施形態では、排出口用凸状部２４や入口用凸状部３４を傾けて形成した構成としてあるが、これに限定されるものではない。たとえば、上述したように、排出口用凸状部２４や入口用凸状部３４を傾けることなく（すなわち、α°＝０°として）形成した場合であっても、ラビリンス手段として機能することができ、メダル払出口１３から筐体１１内の装置への不正アクセスや、メダル払出口１３以外からメダル払出装置２の排出口２３への不正アクセスを防止することができる。
【００４５】
以上、本発明の遊技機について、好ましい実施形態などを示して説明したが、本発明に係る遊技機は、上述した実施形態などにのみ限定されるものではなく、本発明の範囲で種々の変更実施が可能であることは言うまでもない。
例えば、図示してないが、入口用凸状部３４の外周面に、矩形環状の弾性体（通常、ゴムなどからなる弾性体）を取り付け、この弾性体の先端部が、ホッパー２１の表面と当接する構成としてもよい。このようにすると、移動経路３１と筐体１１の内部とを連通させる連通経路を遮ることができ、また、無理やり不正具を挿入すると、弾性体に傷が付くので、不正行為が行われようとしたことを察知することができる。
【００４６】
また、図示してないが、スロットマシン１は、入口用凸状部３４が排出口用凸状部２４に嵌入される構成としてあるが、これに限定されるものではない。たとえば、図示してないが、前扉１２が閉められると、排出口用凸状部２４が入口用凸状部３４に嵌入される構成としてもよい。このようにすると、メダル払出口１３以外（たとえば、前扉１２と筐体１１との隙間など）から不正具を挿入し、メダル払出装置２の排出口２３１に不正にアクセスするといった場合、不正侵入方向を二回以上方向転換する必要があり、不正行為を効果的に防止することができる。
なお、かかる場合、排出口用凸状部２４の外側に第二の排出口用凸状部２４を設け、これらの間に、入口用凸状部３４が挿入される構成としてもよい。このようにすると、メダル払出口１３から不正具を挿入し、筐体１１内の装置（電源装置１８、主基板など）に不正にアクセスするといった不正行為をも効果的に防止することができる。
【符号の説明】
【００４７】
１、１０１  スロットマシン
２、１０２  メダル払出装置  
３、１０３  メダル返却シュート  
１１  筐体  
１２  前扉  
１３  メダル払出口
１４  メダル投入口
１５  メダルセレクタ
１６  制御部
１７  ドラムユニット
１８  電源装置
２０、１２０  メダル払出装置本体  
２１、１２１  ホッパー
２２  回転ディスク  
２３、１２３、２３１  排出口  
２４  排出口用凸状部  
２５  ガイドレール
３１、１３１  移動経路  
３２  過投入防止用移動経路  
３３、１３３  入口  
３４、１３４  入口用凸状部  
３５  出口  
１２４  滑り台部
１２５  斜面
１２６  側方ガイド
１５１  メダル投入ガイド  
３２１  過投入防止用入口
【図１】
0005470583.tif 000002
【図２】
0005470583.tif 000003
【図３】
0005470583.tif 000004
【図４】
0005470583.tif 000005
【図５】
0005470583.tif 000006
【図６】
0005470583.tif 000007
【図７】
0005470583.tif 000008
【図８】
0005470583.tif 000009
【図９】
0005470583.tif 000010